(57)【要約】【課題】本発明は、少ない発光液でも流動性に富んだ飽きのこない幻想的な演出効果を得ることができる演出用装飾具の提供を目的とする。【解決手段】  透光性を有する発光液貯溜容器１１を、上方に形成された注ぎ口１５Ａから注ぎ込んだ発光液Ｌを貯溜する貯溜部１２と、上記注ぎ口１５Ａの周縁部に形成され、該注ぎ口１５Ａの外側に流出した発光液Ｌを受ける発光液受け部１３とで構成し、上記注ぎ口１５Ａの上方に装飾体３１を備え、上記注ぎ口１５Ａ近傍に上記装飾体３１を保持する装飾体保持具２１を備え、上記装飾体保持具２１の下部に、上記注ぎ口１５Ａ近傍に取り付ける取付け脚部２３を形成し、上記取付け脚部２３を、上記注ぎ口１５Ａと上記装飾体３１との間に発光液Ｌの上記注ぎ口１５Ａへの流入を許容する間隙１４Ａが構成される高さで形成した。【選択図】図１
2011142005.tif 000002
【特許請求の範囲】
【請求項１】
透光性を有する流動体貯溜容器を、上方に形成された注ぎ口から注ぎ込んだ演出用流動体を貯溜する貯溜部と、上記注ぎ口の周縁部に形成され、該注ぎ口の外側に流出した演出用流動体を受ける流動体受け部とで構成し、
上記注ぎ口の上方に装飾体を備え、
上記注ぎ口近傍に上記装飾体を保持する装飾体保持具を備え、
上記装飾体保持具の下部に、上記注ぎ口近傍に取り付ける取付け脚部を形成し、
上記取付け脚部を、上記注ぎ口と上記装飾体との間に演出用流動体の上記注ぎ口への流入を許容する間隙が構成される高さで形成した
演出用装飾具。
【請求項２】
上記取付け脚部を、上記装飾体を上記高さに保つ高さ保持部と、該高さ保持部の下方位置で、上記貯溜部の上記注ぎ口に挿入されて上記注ぎ口近傍部分に取り付けられる取付け部とで形成した
請求項１に記載の演出用装飾具。
【請求項３】
上記貯溜部の上記注ぎ口近傍部分の内周面、及び、上記高さ保持部のうち、少なくとも一方を、下方へ向けて縮径する縮径形状で形成し、上記貯溜部の上記注ぎ口近傍部分の内周面と上記取付け部とを嵌合する
請求項２に記載の演出用装飾具。
【請求項４】
上記装飾体保持具を、直線状、湾曲状、又は、屈曲状のうち少なくとも１つの形状の線状体により構成するとともに、上記線状体の加工による骨組構造で構成した
請求項１から請求項３のうちいずれか１項に記載の演出用装飾具。
【請求項５】
上記装飾体保持具に、上記装飾体を載置する装飾体載置部を備え、
上記装飾体載置部を、上記注ぎ口よりも大きく形成した
請求項１から請求項４のうちいずれか１項に記載の演出用装飾具。
【請求項６】
上方に開口部が形成された内部空間を有する中空の外装具を備え、
上記外装具を、透光性を有しない不透光性部材で形成し、
上記外装具は、上記貯溜部を上記内部空間に収容した状態で上記流動体受け部を上記開口部の縁部に装着し、
上記外装具の側壁面に、上記貯溜部に貯溜された演出用流動体の光を所定形状に透光する透光部を１以上形成した
請求項１から請求項５のうちいずれか１項に記載の演出用装飾具。
【請求項７】
上記装飾体を、複数の小片状部材を集合させて形成するとともに、上記複数の小片状部材を該装飾体の上方先端が下方基部より外側に広がる上方広がり形状に重ねて形成した
請求項１から請求項６のうちいずれか１項に記載の演出用装飾具。
【請求項８】
上記小片状部材を、吸水性素材により形成した
請求項７に記載の演出用装飾具。
【請求項９】
請求項１から請求項８のうちいずれか１項に記載の演出用装飾具を用いた演出方法であって、
上記演出用流動体を発光液で形成し、
該発光液を、互いの混合により発光する発光原液と発光反応液とで形成し、
発光原液と発光反応液とのうち一方の液体を上記装飾体に含有させ、
他方の液体を上記装飾体にかけて上記装飾体を発光させる
演出用装飾具を用いた演出方法。
【発明の詳細な説明】
【技術分野】
【０００１】
この発明は、結婚式、ショー、パーティー、セレモニーその他のイベントなどにおいて用いられる演出用スタンドに関し、例えば、発光液などの演出用流動体を用いて幻想的な雰囲気を演出するための演出用装飾具に関する。
【背景技術】
【０００２】
演出を行うに際して、例えば、発光液などの流動性のある演出用流動体を用いる様々な演出用装飾具が提案されている。
【０００３】
演出用流動体の中でも発光液を用いた演出用装飾具としては、例えば、下記特許文献１に「演出器材」が開示されている。
【０００４】
上記「演出器材」は、透明な凹状のガラス筐体に透明シリコンを流し込み、ガラス筐体の例えば、内壁面に沿って凝固させ、その内側に構成される凹状空間に適宜、複数のビー玉などを充填させた器材である。
【０００５】
特許文献１には、上述したガラス筐体に発光液を流し込むことで、ビー玉やシリコンのレンズ効果により発光液の光量を増幅させることができ、従来の発光液の使用量よりも少ない量で演出効果を発揮できることが謳われている。
【０００６】
しかし、上記「演出器材」は、発光液をガラス筐体に流し込む際に、ガラス筐体にビー玉などが充填された凹状空間に発光液が浸されるまで十分なレンズ効果が期待できないため、充分な演出がされるまで時間がかかり、また、演出のインパクトに欠けるという難点を有する。
【０００７】
さらに、上記「演出器材」は、一旦、発光液がガラス筐体に流し込まれた後は、ビー玉等のレンズ効果により優れた光量で発光する効果は期待できるものの、ガラス筐体内で貯溜された状態で発光するだけであるため、流動性に乏しく、躍動感に富んだ演出が期待できないという難点を有する。
【先行技術文献】
【特許文献】
【０００８】
【特許文献１】特開２００５−５２２４号公報
【発明の概要】
【発明が解決しようとする課題】
【０００９】
そこで本発明は、少ない演出用流動体でも流動性に富んだ飽きのこない幻想的な演出効果を得ることができる演出用装飾具の提供を目的とする。
【課題を解決するための手段】
【００１０】
本発明は、透光性を有する流動体貯溜容器を、上方に形成された注ぎ口から注ぎ込んだ演出用流動体を貯溜する貯溜部と、上記注ぎ口の周縁部に形成され、該注ぎ口の外側に流出した演出用流動体を受ける流動体受け部とで構成し、上記注ぎ口の上方に装飾体を備え、上記注ぎ口近傍に上記装飾体を保持する装飾体保持具を備え、上記装飾体保持具の下部に、上記注ぎ口近傍に取り付ける取付け脚部を形成し、上記取付け脚部を、上記注ぎ口と上記装飾体との間に演出用流動体の上記注ぎ口への流入を許容する間隙が構成される高さで形成した演出用装飾具であることを特徴とする。
【００１１】
上記演出用流動体は、化学発光液、自然発光液、蓄光液、蛍光液などの発光する発光液とする、または、発光装置を発光（作動）させる発光誘発流動体とすることができる。
【００１２】
上記発光装置は、電極が外部に露出してセンサになっており水などの液体に浸かると通電して発光するＬＥＤ（発光素子）などの通電検知型照明装置、熱センサにより熱を検知して発光するＬＥＤなどの熱検知型照明装置、衝撃センサにより衝撃を検知して発光するＬＥＤなどの衝撃検知型照明装置など、物理的、電気的な変化情報を検知して光を発する装置で構成することができる。  
なお、上記通電検知型照明装置、上記熱検知型照明装置、上記衝撃検知型照明装置は、ＬＥＤに限らず、電球、蛍光灯、ハロゲンランプなどを内臓したものであってもよい。
【００１３】
上記発光誘発流動体は、上記通電検知型照明装置を発光させる水などの導電性を有する液体、上記熱検知型照明装置を発光させる熱湯（検知される温度以上の湯）、上記衝撃検知型照明装置に衝撃を付与して発光させる流動体（例えば、水や多数の小さなガラス球や多量の砂といった粒状物の集合）など、上記発光装置を発光させる適宜の流動体とすることができる。
【００１４】
上記流動体貯溜容器は、表面全体を透光性部材で形成したもの、或いは、不透光性部材で形成した表面全体に対して、内部の光が所定の模様に外部へ透光することを許容するよう透光部を表面に部分的に形成したものも含む。
【００１５】
上記装飾体は材質、その材質、形状は特に限定せず、例えば、クリスタルガラス、樹脂材料により形成したものも含む。
【００１６】
上記構成により、演出用流動体は、上述したように装飾体を発光させ、その後で装飾体を伝って注ぎ口の側へ流下し、貯溜部に徐々に貯溜されるに応じて、貯溜部からも光を発することができる。
【００１７】
ここで、上記取付け脚部を、上記注ぎ口と上記装飾体との間に演出用流動体の上記注ぎ口への流入を許容する間隙が構成される高さで形成したため、装飾体によって注ぎ口を閉塞することがなく、流動体受け部で受けた演出用流動体は、注ぎ口を通じてスムーズに貯溜部に流れ込むことができる。
【００１８】
従って、流動性に富んだ幻想的で飽きのこない優れた演出効果を得ることができる。
【００１９】
この発明の態様として、上記取付け脚部を、上記装飾体を上記高さに保つ高さ保持部と、該高さ保持部の下方位置で、上記貯溜部の上記注ぎ口に挿入されて上記注ぎ口近傍部分に取り付けられる取付け部とで形成することができる。
【００２０】
取付け脚部は、取付け部が上記貯溜部の上記注ぎ口に挿入されて上記注ぎ口近傍部分に取り付けられるため、該取付け部自体が上記貯溜部外側から視認され難くなる。よって、取付け脚部は、すっきりとした良好な見栄えで注ぎ口近傍部分に取り付けることができる。
【００２１】
取付け脚部は、取付け部を上記注ぎ口近傍部分に取り付けた後も、上記高さ保持部により、上記注ぎ口と上記装飾体との間に演出用流動体の上記注ぎ口への流入を許容する間隙が構成される高さにしっかりと保つことができる。
【００２２】
またこの発明の態様として、上記貯溜部の上記注ぎ口近傍部分の内周面、及び、上記高さ保持部のうち、少なくとも一方を、下方へ向けて縮径する縮径形状で形成し、上記貯溜部の上記注ぎ口近傍部分の内周面と上記取付け部とを嵌合することができる。
【００２３】
上記構成により、取付け脚部は、取付け部を、上記貯溜部の上記注ぎ口に挿入したとき、上記注ぎ口近傍部分の内周面に対して嵌合させて取り付けることができる。
【００２４】
このように、取付け部と注ぎ口近傍部分の内周面との嵌合により取り付けることにより、これら取付け部や注ぎ口近傍部分を複雑な形状で形成したり別途の取り付け用の部材を備えることなく、取付け部を注ぎ口近傍部分の内周面に対してシンプルな構成でしっかりと取り付けることができる。
【００２５】
またこの発明の態様として、上記装飾体保持具を、直線状、湾曲状、又は、屈曲状のうち少なくとも１つの形状の線状体により構成するとともに、上記線状体の加工による骨組構造で構成することができる。
【００２６】
上記構成により、上記装飾体保持具は、上記形状の線状体の加工による骨組構造で構成しているため、骨組構造には、演出用流動体の通過を許容する隙間が構成される。
【００２７】
よって、演出用流動体は、装飾体に注がれた後、装飾体を伝って流下するが、その際、演出用流動体は、装飾体を保持する装飾体保持具によって流下することを阻害されることなく、骨組み構造で構成した装飾体保持具の隙間を通じて注ぎ口の側へスムーズに流下することができ、流動的で躍動感のある演出効果を得ることができる。
【００２８】
またこの発明の態様として、上記装飾体保持具に、上記装飾体を載置する装飾体載置部を備え、上記装飾体載置部を、上記注ぎ口よりも大きく形成することができる。
【００２９】
上記構成により、装飾体は、装飾体載置部に載置するだけで容易にセットすることができる。
【００３０】
また、上記装飾体載置部を、上記注ぎ口よりも大きく形成しているため、装飾体保持具を上記注ぎ口近傍部分に取り付けたとき、装飾体載置部によって注ぎ口を隠蔽することができ、優れた見栄えで構成することができる。
【００３１】
またこの発明の態様として、上方に開口部が形成された内部空間を有する中空の外装具を備え、上記外装具を、透光性を有しない不透光性部材で形成し、上記外装具は、上記貯溜部を上記内部空間に収容した状態で上記流動体受け部を上記開口部の縁部に装着し、上記外装具の側壁面に、上記貯溜部に貯溜された演出用流動体の光を所定形状に透光する透光部を１以上形成することができる。
【００３２】
上記構成により、流動体受け部を外装具に装着したとき、貯溜部は、外装具の側壁面に覆われた状態となり、演出用流動体の流入により上記貯溜部から発光する光を透光部を通じて所定形状に透光させることができ、上記貯溜部全体が発光させた様子を視認させる演出と比較してより幻想的な演出効果を得ることができる。
【００３３】
さらに、流動体貯溜容器は、上記外装具に対して容易に取り外すことができ、流動体貯溜容器のみを容易に洗浄などすることができるため、演出の準備、後始末を容易に行うことができる。
【００３４】
またこの発明の態様として、上記装飾体を、複数の小片状部材を集合させて形成するとともに、上記複数の小片状部材を該装飾体の上方先端が下方基部より外側に広がる上方広がり形状に重ねて形成することができる。
【００３５】
上記構成により、複数の小片状部材の間には、上方へ向けて開口した隙間が存在することなるため、装飾体へ上方から注ぎ込んだ演出用流動体を、複数の隙間に貯溜することで装飾体に残留し易くなる。これにより、装飾体を、より鮮明に発光させることができ、演出効果を高めることができる。
【００３６】
またこの発明の態様として、上記小片状部材を、吸水性素材により形成することができる。
【００３７】
上記構成により、上記装飾体の吸水性を高めることができるため、注ぎ込んだ演出用流動体を積極的に吸水することができる。よって、装飾体を、より鮮明に発光させることができ、演出効果を高めることができる。
【００３８】
またこの発明は、上述した演出用装飾具を用いた演出方法であって、上記演出用流動体を発光液で形成し、該発光液を、互いの混合により発光する発光原液と発光反応液とで形成し、発光原液と発光反応液とのうち一方の液体を上記装飾体に含有させ、他方の液体を上記装飾体にかけて上記装飾体を発光させることを特徴とする。
【００３９】
発光原液と発光反応液とのうち一方の液体を上記装飾体に含有させることにより、該装飾体の重量が増すため、装飾体保持具に備えたときの安定感を高めることができる。よって、例えば、装飾体に向けて発光液を注いだときに、その勢いにより装飾体が不測に位置ずれしたり、転倒することなく安定して備えることができる。
【００４０】
なお、以下の説明において、特に示す場合を除き、単に発光液と記載した場合、後述する発光原液、或いは、発光反応液、または、これらを混合した液体のいずれかを示すものとする。
【発明の効果】
【００４１】
本発明により、少ない演出用流動体でも流動性に富んだ飽きのこない幻想的な演出効果を得ることができる演出用装飾具を提供することができる。
【図面の簡単な説明】
【００４２】
【図１】本実施形態の演出用装飾具の正面図。
【図２】一部断面で示した本実施形態の演出用装飾具の構成説明図。
【図３】本実施形態の演出用装飾具の要部の構成説明図。
【図４】本実施形態の装飾体保持具を上方から視た一部を示す外観図。
【図５】本実施形態の装飾体保持具の外観図。
【図６】本実施形態の演出用装飾具の作用説明図。
【図７】本実施形態の演出用装飾具の実施例を一部断面で示した説明図。
【発明を実施するための形態】
【００４３】
この発明の一実施形態を、以下図面を用いて説明する。  
本実施形態における演出用装飾具１０は、図１〜図４に示すように、発光液貯溜容器１１と装飾体保持具２１と装飾体３１と外装具４１で構成している。
【００４４】
発光液貯溜容器１１は、全体をガラス、又は、アクリルなどで透光性を有する無色透明に形成し、貯溜部１２と発光液受け部１３とで一体に形成している（図２参照）。
【００４５】
貯溜部１２は、後述する発光液Ｌの貯溜空間１２Ａを内部に有し、下方へ向けて先細りの有底円筒状に形成している。貯溜部１２の上端部には、上方から注ぎ込まれた発光液Ｌが貯溜空間１２Ａへ流入することを許容する注ぎ口１５Ａを形成している。注ぎ口１５Ａを通じて貯溜部１２の貯溜空間１２Ａと外側とは互いに連通している。
【００４６】
貯溜部１２は、上部に有する縮径円筒部１２ａと、該縮径円筒部１２ａの下側に有し、細長い円錐状小径部１２ｂと、縮径円筒部１２ａと円錐状小径部１２ｂとの間に有する中間縮径円筒部１２ｃとで一体に形成している。
【００４７】
また、縮径円筒部１２ａ、円錐状小径部１２ｂ、中間縮径円筒部１２ｃは、いずれも下方へ向けて序々に縮径したテーパ形状で形成している。
【００４８】
ここで、中間縮径円筒部１２ｃの内周面は、急勾配のテーパ形状で形成し、貯溜部１２の中途部分から下部にかけて絞った縮径形状としている。これにより、円錐状小径部１２ｂの容積を小さくすることができ、演出に必要な発光液Ｌの液量を少なくしている。
【００４９】
さらに、縮径円筒部１２ａの内周面は、図３（ｃ）に示すように、円錐状小径部１２ｂの内周面よりも緩やかなテーパ内周面１２ａ１で形成している。  
なお、図３（ｃ）は、図３（ｂ）中のＢ−Ｂ線矢視図を示し、図３（ｂ）は、図３（ａ）中のＡ−Ａ線矢視図を示す。
【００５０】
発光液受け部１３は、貯溜部１２の上部において上記注ぎ口１５Ａの周縁部に鍔状に形成され、該注ぎ口１５Ａの外側に流出した発光液Ｌを受けることを許容する底浅の有底円筒状に形成している。
【００５１】
発光液受け部１３は、装飾体保持具２１、装飾体３１、及び、外装具４１のいずれの外径よりも大きな外径で形成している。
【００５２】
発光液受け部１３の上端周縁部分は、審美性向上のため部分的に外側へ向けて反り返らせた反り返り部分１３ａを周方向において等分配して形成している。
【００５３】
装飾体保持具２１は、図５に示すように、複数の線状体２６を熱溶着により一体に組み合わせた装飾体載置部２２と取付け脚部２３とを備えた骨組構造で構成している。線状体２６は、樹脂材料の成形により複数の直線状線状体２６Ｌと複数の環状線状体２６Ｃとで形成している。なお、複数の直線状線状体２６Ｌと複数の環状線状体２６Ｃとの表面には、メッキを施して表面全体を銀色に装飾している。
【００５４】
装飾体載置部２２は、装飾体３１を載置可能な平面視円形状に形成し、外側環状部２６Ｃｏと、該外側環状部２６Ｃｏに対して内側に配置された内側環状部２６Ｃｉとを、互いに同心円状になるよう連結棒２７により連結することで一体に形成している。  
なお、外側環状部２６Ｃｏ、内側環状部２６Ｃｉは、いずれも環状線状体２６Ｃで形成し、連結棒２７は、複数本の直線状線状体２６Ｌで形成している。
【００５５】
外側環状部２６Ｃｏは、装飾体３１の外径と略同じ径で形成するとともに、内側環状部２６Ｃｉは、装飾体３１の外径よりも小径で形成し、装飾体３１を装飾体載置部２２に安定、且つ、確実に載置できるよう形成している。
【００５６】
取付け脚部２３は、該装飾体載置部２２に対して下方に有し、嵌合取付け環状部２４と高さ保持片２５とで形成している。  
なお、嵌合取付け環状部２４は、環状線状体２６Ｃで形成し、高さ保持片２５は、合計４本の直線状線状体２６Ｌで形成している。
【００５７】
詳しくは、嵌合取付け環状部２４は、平面視円形の注ぎ口１５Ａの内径よりも一回り小さな径を有する環状線状体２６Ｃで形成し、高さ保持片２５の下端部に溶着している。すなわち、嵌合取付け環状部２４は、貯溜部１２に挿入したとき、図３（ｂ），（ｃ）に示すように、縮径円筒部１２ａのテーパ内周面１２ａ１に対して係止され、嵌合される径を有して形成している。  
すなわち、テーパ内周面１２ａ１の上端（注ぎ口１５Ａ）は、嵌合取付け環状部２４よりも大きく、且つ、テーパ内周面１２ａ１の下端は、嵌合取付け環状部２４よりも小さくなっている。
【００５８】
なお、図３（ｂ）は、図３（ａ）のＡ−Ａ線矢視図を示す。
【００５９】
装飾体保持具２１は、図３（ａ）に示すように、嵌合取付け環状部２４を縮径円筒部１２ａのテーパ内周面１２ａ１に嵌合したとき、装飾体載置部２２が水平な状態になるよう取り付けることができる。
【００６０】
高さ保持片２５は、４本の直線状線状体２６Ｌのそれぞれを、内側環状部２６Ｃｉの周方向を等分配する各部分に、下方へ向けて突出するよう溶着している（図５参照）。装飾体保持具２１を注ぎ口１５Ａの近傍部分、すなわち、縮径円筒部１２ａのテーパ内周面１２ａ１に取り付けたとき、高さ保持片２５は、少なくとも上記注ぎ口１５Ａと上記装飾体載置部２２との間に発光液Ｌの上記注ぎ口１５Ａへの流入を許容する間隙１４Ａが構成されるよう長尺に形成している（図３（ａ）参照）。
【００６１】
詳しくは、高さ保持片２５は、縮径円筒部１２ａのテーパ内周面１２ａ１に嵌合取付け環状部２４が嵌合（係止）される位置から注ぎ口１５Ａまでの高さ（１３Ｈ）よりも高く形成している。これにより、縮径円筒部１２ａのテーパ内周面１２ａ１に取り付けたとき、高さ保持片２５は、注ぎ口１５Ａに対して上方へ突出することになる。すなわち、高さ保持片２５の上側の位置し、貯溜部１２に挿入されない非挿入部分２５ａと、該高さ保持片２５の下側に位置し、貯溜部１２に挿入される挿入部分２５ｂとを有することになる（図３（ａ）参照）。非挿入部分２５ａは、発光液Ｌの上記注ぎ口１５Ａへの流入を許容する上記間隙１４Ａに相当する長さ（高さ）を有して形成している。
【００６２】
装飾体３１は、図４に示すように、複数枚の小片状の模擬花びら３２を牡丹の花に模して束ねた造花として形成している。詳しくは、装飾体３１は、その上方が下方基部より外側に広がる上方広がり形状に重なるように、複数枚の模擬花びら３２を下方基部で束ねて形成されている。上記構成により、複数枚の模擬花びら３２を束ねた間には、発光液Ｌを貯溜するよう上方へ向けて開口した複数の隙間３３Ａを有している（図３（ａ）参照）。
【００６３】
さらに、模擬花びら３２は、吸水性を有するシート片で形成している。  
なお、シート片は、吸水性を有していればよく、例えば、綿、化学繊維、紙などの素材で形成することができる。
【００６４】
外装具４１は、側壁面４２と、該側壁面４２の下方で全体を設置可能に鍔状に形成した設置部４３とで全体を透光性を有しないセラミックスにより形成している（図１、及び、図２参照）。
【００６５】
側壁面４２は、上方に開口部４４Ａが形成された内部空間４２Ａを有する中空の縦長をした有底逆円錐状に形成している。
【００６６】
側壁面４２の内部空間４２Ａは、上記貯溜部１２の収容を許容する大きさで構成している。側壁面４２の開口縁部４４は、発光液貯溜容器１１の貯溜部１２の外径より大きく、且つ、発光液受け部１３の外径よりも小さな平面視円形状に形成している。
【００６７】
これにより、上記外装具４１は、上記貯溜部１２を上記内部空間４２Ａに収容し、上記発光液受け部１３の下面を開口縁部４４に載置した状態で発光液貯溜容器１１に対して装着される。
【００６８】
側壁面４２の下部には、周方向に収縮した形状の２つの節部４５を有している。さらにまた、外装具４１の側壁面４２には、その周方向、上下方向に亘って複数の透光部４６を配設している。
【００６９】
上記透光部４６は、それぞれ側壁面４２の外側と内側とで光の透過を許容するよう側壁面４２を厚み方向に貫通させた貫通孔で形成している。上記透光部４６は、それぞれを異なる大きさで形成し、いずれも例えば、正面視花形状で形成している。上記透光部４６の正面視花形状とは、中心部分に対して周方向において５等分配する方向へ花びらが放射状に広がる花の模様で形成している。
【００７０】
次に、上述した構成の演出用装飾具１０を用いて演出を行なう実施例について図６（ａ），（ｂ）、図７を用いて説明する。  
図６（ａ），（ｂ）は、いずれも演出用装飾具１０の上部を一部断面で示した図であり、図６（ａ）は、発光液Ｌ（Ｌ２）を注ぎ込む直前の様子を示す作用説明図であり、図６（ｂ）は、発光液Ｌ（Ｌ２）を注ぎ込んでいる最中の様子を示す作用説明図である。
【００７１】
なお、本実施例では、発光液Ｌとして互いの混合により発光する発光蛍光液Ｌ１と発光反応液Ｌ２とを用いている。
【００７２】
まず、図６（ａ）に示すように、演出を行なう前に予め、装飾体３１は、発光蛍光液Ｌ１と発光反応液Ｌ２とのうち例えば、発光蛍光液Ｌ１を含有させておき、その状態で装飾体載置部２２に載置している。さらに、貯溜空間１２Ａにも予め、貯溜部１２の最大貯溜量の半分ぐらいの容量、すなわち、円錐状小径部１２ｂの容量分だけ発光蛍光液Ｌ１を貯溜しておく（図示せず）。
【００７３】
続いて、図６（ｂ）に示すように、発光反応液Ｌ２を装飾体３１の上方から注ぐ。装飾体３１に注がれた発光反応液Ｌ２は、装飾体３１に含有させておいた発光蛍光液Ｌ１と反応する。発光蛍光液Ｌ１と発光反応液Ｌ２とは、装飾体３１において混合し、化学反応（発光反応）するため、装飾体３１全体が発光する。
【００７４】
発光反応液Ｌ２を装飾体３１に注ぎ続けると、装飾体３１に含有しきれなかった発光反応液Ｌ２が装飾体３１から流下する。  
その際、発光反応液Ｌ２は、骨組み構造をした装飾体載置部２２の隙間２１Ａ（図５参照）を通じて流下し、注ぎ口１５Ａを通じて直接的に貯溜部１２に注ぎ込まれる。或いは、発光液受け部１３に流下する（図２（ｂ）参照）。
【００７５】
ここで、装飾体３１と注ぎ口１５Ａとの間には、高さ保持片２５を介在させて間隙１４Ａが確保されているため（図３（ａ）参照）、発光液受け部１３に流下した発光液Ｌ１，Ｌ２は、装飾体３１によって阻害されることなく注ぎ口１５Ａを通じて貯溜部１２に注ぎ込まれる。
【００７６】
貯溜部１２に注ぎ込まれた発光反応液Ｌ２は、貯溜部１２に予め貯溜しておいた発光蛍光液Ｌ１と反応し、貯溜部１２に発光反応液Ｌ２が貯溜するに従って、貯溜部１２は、下側から上方へ徐々に発光する。
【００７７】
そして、貯溜部１２に貯溜した発光液Ｌの光は、上記外装具４１の側壁面４２に形成した透光部４６を通じて透光するため、上記外装具４１における、透光部４６の形成部分が該透光部４６の形状に相当する花びら形状に発光しているように演出することができる。
【００７８】
よって、貯溜部１２がその下側から上方へ徐々に発光するに従って、外装具４１の側壁面４２に形成した透光部４６が下側から上方へ向けて段階的に発光する。すなわち、発光反応液Ｌ２を注ぐと直ぐに装飾体３１が発光し、次いで外装具４１の下方の透光部４６から発光し、順に発光した光を鑑賞することができる。
【００７９】
以上により、演出用装飾具１０は、幻想的で流動性、躍動感に富んだ演出効果を得ることができる。
【００８０】
最終的に、図７に示すように、演出用装飾具１０は、装飾体３１が発光するとともに、上記外装具４１の側壁面４２に形成した全ての透光部４６が発光した状態となるため、上述した演出後も、テーブルなどに設置するなどして装飾用のスタンドとして用いることができる。
【００８１】
上述した演出用装飾具１０は、その他にも以下のような効果を奏することができる。  
発光液貯溜容器１１に対して上方から注ぎ込んだ発光反応液Ｌ１は、上記注ぎ口１５Ａを通じて直接、貯溜部１２に流れ込む前に、注ぎ口１５Ａの上方に備えた装飾体３１に注がれることになるため、予め発光蛍光液Ｌ１を含浸させておいた装飾体３１は、発光反応液Ｌ１を浴びて発光することができる。
【００８２】
そして、装飾体３１を伝って注ぎ口１５Ａの側へ流下した発光反応液Ｌ２は、注ぎ口１５Ａを通じて貯溜部１２に注ぎ込まれ、貯溜部１２で発光する。
【００８３】
このように、発光反応液Ｌ１を、発光液貯溜容器１１の上方から注ぎ込むという１つの動作により、貯溜部１２に貯溜した発光液Ｌ１，Ｌ２が発光する従来の演出に加えて、装飾体３１が発光するという演出をも実現することができ、発光液Ｌの流動性を活かした躍動感のある演出効果を得ることができる。
【００８４】
また、上記取付け脚部２３を、上記装飾体３１を上記高さに保つ高さ保持片２５と、該高さ保持片２５の下方位置で、上記貯溜部１２の上記注ぎ口１５Ａに挿入されて貯溜部１２の縮径円筒部１２ａのテーパ内周面１２ａ１に取り付けられる嵌合取付け環状部２４とで形成している。さらに、上記貯溜部１２の縮径円筒部１２ａのテーパ内周面１２ａ１は、下方へ向けて縮径する縮径形状で形成している。
【００８５】
上記構成により、取付け脚部２３は、上記貯溜部１２の上記注ぎ口１５Ａに挿入したとき、貯溜部１２の縮径円筒部１２ａのテーパ内周面１２ａ１に嵌合取付け環状部２４を嵌合させて取り付けることができる。
【００８６】
よって、これら取付け脚部２３や注ぎ口１５Ａの近傍部分を複雑な形状で形成したり別途の取り付け用の部材を備えることなく、シンプルな構成でしっかりと取り付けることができる。
【００８７】
また、高さ保持片２５が縮径円筒部１２ａのテーパ内周面１２ａ１に沿って取り付けられるため（図３（ｃ）参照）、高さ保持片２５が万が一にもがたついても、テーパ内周面１２ａ１によってガイドすることができ、装飾体保持具２１を縮径円筒部１２ａのテーパ内周面１２ａ１に置くだけで安定して取り付けることができる。
【００８８】
さらに、取付け脚部２３は、貯溜部１２の縮径円筒部１２ａのテーパ内周面１２ａ１に取り付けたとき、上記高さ保持片２５のうち、挿入部分２５ｂは、上記注ぎ口１５Ａに挿入されるが、非挿入部分２５ａは、上記注ぎ口１５Ａに挿入されずに、上記注ぎ口１５Ａと上記装飾体３１との間に発光液Ｌの上記注ぎ口１５Ａへの流入を許容する間隙１４Ａが構成される高さにしっかりと保つことができる。
【００８９】
従って、装飾体３１によって注ぎ口１５Ａが閉塞されることなく、発光液受け部１３において一時的に貯溜した発光液Ｌ（発光反応液Ｌ２）が、注ぎ口１５Ａを通じてスムーズに貯溜部１２に流れ込むことを許容でき、より一層、流動性に富んだ幻想的で飽きのこない演出を実現することができる。
【００９０】
さらにまた、取付け脚部２３は、上記貯溜部１２の上記注ぎ口１５Ａに挿入されて貯溜部１２の縮径円筒部１２ａのテーパ内周面１２ａ１に取り付けられるため、該取付け脚部２３自体が上記貯溜部１２外側から視認され難くなり、取付け脚部２３を、注ぎ口１５Ａ近傍部分にすっきりとした良好な見栄えで取り付けることができる。
【００９１】
さらに、装飾体保持具２１は、持ち上げるだけで貯溜部１２の縮径円筒部１２ａのテーパ内周面１２ａ１から容易に取り外すことができるため、演出終了後に発光液貯溜容器１１の洗浄を容易に行うことができる。
【００９２】
また、上記装飾体保持具２１は、上述したように、直線状線状体２６Ｌと環状線状体２６Ｃとで形成し、これら直線状線状体２６Ｌと環状線状体２６Ｃとの溶着による骨組構造で構成しているため、装飾体保持具２１自体には、発光液Ｌの通過を許容する多くの隙間２１Ａ（空間）が構成される（図５参照）。
【００９３】
よって、装飾体３１に注がれた発光液Ｌは、装飾体３１を載置する装飾体載置部２２によって流下することを阻害されることなく、骨組み構造で構成した装飾体保持具２１の隙間２１Ａを通じて注ぎ口１５Ａの側へスムーズに流下することができ、流動的で躍動感のある演出効果を得ることができる。  
さらに、発光液Ｌ１，Ｌ２の付着を少なくして美観を確保することができる。
【００９４】
装飾体３１は、装飾体載置部２２に載置するだけで容易にセットすることができる。さらにまた、上記装飾体載置部２２は、上記注ぎ口１５Ａの外径よりも大きな外径で形成しているため、装飾体保持具２１を上記注ぎ口１５Ａ近傍部分に取り付けたとき、装飾体載置部２２によって注ぎ口１５Ａを隠蔽することができ、優れた見栄えを保つことができる。
【００９５】
また、演出用装飾具１０は、外装具４１を備え、該外装具４１は、不透光性部材であるセラミックスでした側壁面４２に、複数の透光部４６を形成している。
【００９６】
上記構成により、発光液受け部１３を外装具４１に装着したとき、貯溜部１２は、外装具４１の側壁面４２に覆われた状態となり、上記貯溜部１２で発光する発光液Ｌ１，Ｌ２の光を透光部４６を通じて該透光部４６の形状に応じて透光させることができ、上記貯溜部１２全体を発光させた様子を視認させる演出と比較してより幻想的な演出効果を得ることができる。
【００９７】
さらに、発光液貯溜容器１１は、上記外装具４１に対して容易に取り外すことができるため、例えば、演出後に発光液Ｌ１，Ｌ２が貯溜した発光液貯溜容器１１のみを取り外して容易に洗浄などすることができるため、演出の後始末を容易に行うことができる。
【００９８】
また、上記装飾体３１は、該装飾体３１の上方先端が下方基部より外側に広がる上方広がり形状になるよう複数の模擬花びら３２を重ねて形成するとともに、模擬花びら３２は、吸水性素材からなるシート片により形成している。
【００９９】
上記構成により、複数の模擬花びら３２の間には、上方へ向けて開口した隙間３３Ａが存在することなるため、装飾体３１へ上方から注ぎ込んだ発光反応液Ｌ２は、複数の隙間３３Ａに貯溜した発光蛍光液Ｌ１と混合し易くなる。これにより、装飾体３１を、より鮮明に発光させることができ、演出効果を高めることができる。
【０１００】
さらにまた、装飾体３１は、演出前に予め、発光蛍光液Ｌ１を含有させて重量を増した状態としているため、装飾体載置部２２に載置したときの安定感を高めることができる。よって、例えば、装飾体３１に向けて発光反応液Ｌ２を注いだときに、その勢いにより装飾体３１が不測に装飾体載置部２２から位置ずれしたり、転倒することなく安定した状態を保つことができる。
【０１０１】
また、本発明の演出用装飾具は、上述した演出用装飾具１０の構成に限らず、その他にも様々な構成で構成することができる。  
例えば、高さ保持片２５は、上述したように上下方向に配した４本の直線状線状体２６Ｌを装飾体載置部２２の下方において周方向に配置した構成であるが（図５参照）、この構成に限らず、例えば、該４本の直線状線状体２６Ｌのそれぞれを下方へ進むに連れ互いに近接するよう傾けて縮径するよう構成してもよい（図示せず）。
【０１０２】
上記構成により、装飾体保持具２１は、注ぎ口１５Ａに挿入したとき、高さ保持片２５が注ぎ口１５Ａの口縁部に当接して嵌合することで取り付けることができる。
【０１０３】
さらにまた、装飾体保持具２１の装飾体載置部２２は、網状に形成してもよい。
【０１０４】
また、上述した演出用装飾具１０を用いた演出方法は、発光液Ｌとして、互いの混合により発光する発光蛍光液Ｌ１と発光反応液Ｌ２とを用い、発光蛍光液Ｌ１を予め装飾体３１に含有させておくとともに、貯溜部１２に貯溜させておき、発光反応液Ｌ２を上記装飾体３１にかけて上記装飾体３１、及び、貯溜部１２を発光させる演出方法であるが、この演出方法に限らない。
【０１０５】
例えば、発光蛍光液Ｌ１と発光反応液Ｌ２との二液のうち、発光蛍光液Ｌ１ではなく発光反応液Ｌ２を装飾体３１に予め含浸させておくとともに、貯溜部１２に貯溜させておき、発光反応液Ｌ２ではなく発光蛍光液Ｌ１を演出用装飾具１０の上方から注ぎ込む演出を行なってもよい。
【０１０６】
或いは、演出前に予め、発光蛍光液Ｌ１と発光反応液Ｌ２とを混合し、発光させている状態で演出用装飾具１０の上方から注ぎ込む演出を行なってもよい。
【０１０７】
また、他の実施形態として、演出用装飾具は、図示しないが、発光装置と該発光装置の発光を誘発する発光誘発流動体を用いる構成としてもよい。
【０１０８】
発光装置は、内部にＬＥＤ（発光素子）を内蔵し、外部に電極を露出し、電極が通電したらスイッチＯＮになり発光する仕組みで構成している。
【０１０９】
この場合、装飾体３１の内部、或いは、隙間３３Ａに発光装置を備えるとともに、貯留部１２内にも同じ発光誘発流動体で発光する発光装置を備えるとよい。
【０１１０】
これにより、発光装置のスイッチをＯＮにさせる発光誘発流動体として例えば水を用いた場合、該水を装飾体３１にかけると、まず装飾体３１に備えた発光装置から外部に露出した電極が通電して発光し、次いで貯留部１２内に浸入した水によって貯留部１２内の発光装置が同様に通電して発光する。
【０１１１】
この構成の場合でも、上述した発光液Ｌ１を用いる場合と同様の演出を行うことができる。
【０１１２】
なお、発光装置は、適宜、発光液受け部１３に備えてもよく、また、貯留部１２内に備えた場合は、複数の発光装置を積み上げたものや、貯留部１２全体が均等に発光するよう、長さ方向において所定間隔ごとに配設したものであってもよい。
【０１１３】
装飾体は、上述した装飾体３１の形態に限らず、ガラスや樹脂を用いて球体、多面体形状、或いは、花形状など所定の立体形状に形成した中に上記発光装置を電極が露出するよう内蔵した構成のものであってもよい。
【０１１４】
上述した実施形態と、この発明の構成との対応において、
発光液貯溜容器１１は、流動体貯溜容器に対応し、以下同様に、
発光液受け部１３は、流動体受け部に対応し、
発光液Ｌ又は水は、演出用流動体に対応し、
高さ保持片２５は、高さ保持部に対応し、
嵌合取付け環状部２４は、取付け部に対応し、
縮径円筒部１２ａの内周面は、注ぎ口近傍部分の内周面に対応し、
直線状線状体２６Ｌ、及び、環状線状体２６Ｃは、直線状、湾曲状、又は、屈曲状のうち少なくとも１つの形状の線状体に対応し、
セラミックスは、不透光性部材に対応し、
模擬花びら３２は、小片状部材に対応し、
シート片は、吸水性素材に対応し、
発光蛍光液Ｌ１は、発光原液に対応するも、
この発明は、上述の実施形態の構成のみに限定されるものではなく、多くの実施の形態を得ることができる。
【符号の説明】
【０１１５】
１０…演出用装飾具
１１…発光液貯溜容器
１２…貯溜部
１５Ａ…注ぎ口
１２ａ１…テーパ面
１３…発光液受け部
２１…装飾体保持具
２２…装飾体載置部
２３…取付け脚部
２４…嵌合取付け環状部
２５…高さ保持片
２６…線状体
２６Ｌ…直線状線状体
２６Ｃ…環状線状体
３１…装飾体
３２…模擬花びら
４１…外装具
４２…側壁面
４４Ａ…開口部
４２Ａ…内部空間
４４…開口縁部
４６…透光部
Ｌ…発光液
Ｌ１…発光原液
Ｌ２…発光反応液
【図１】
2011142005.tif 000003
【図２】
2011142005.tif 000004
【図３】
2011142005.tif 000005
【図４】
2011142005.tif 000006
【図５】
2011142005.tif 000007
【図６】
2011142005.tif 000008
【図７】
2011142005.tif 000009